(57)【要約】【課題】  分電盤に対する電力線通信の信号漏れ対策や、分電盤を挟んだグループ間の干渉対策を容易に行えるコンデンサ接続具を提供する。【解決手段】  本発明のコンデンサ接続具は、分電盤１の内部にあるブスバー７にコンデンサ素子９を接続するためのコンデンサ接続具である。この接続具１６は、ブスバー７の幅方向両側縁に係脱可能な取付金具１７と、この取付金具１７をブスバー７に押し付けて固定する押圧部材１８と、取付金具１７に導通可能に固定されており、コンデンサ素子９のリード線１０を接続可能な接続部１９とを備えている。【選択図】      図２
2009087975.tif 000002
【特許請求の範囲】
【請求項１】
分電盤を構成するブスバーにコンデンサ素子を接続するためのコンデンサ接続具であって、
前記ブスバーの幅方向両側縁に係脱可能な取付金具と、
この取付金具を前記ブスバーに押し付けて固定する押圧部材と、
前記取付金具に導通可能に固定されており、前記コンデンサ素子のリード線を接続可能な接続部とを備えていることを特徴とするコンデンサ接続具。
【請求項２】
前記取付金具は、天板部と、この天板部の幅方向両端部から下方に延びる左右一対の側板部と、この各側板部の下端部から幅方向内方に延びる掛止爪部と備えており、
前記押圧部材は、先端を下方に向けて前記天板部を貫通する締め付けねじよりなる請求項１に記載のコンデンサ接続具。
【請求項３】
前記取付金具は、前記ブスバーの幅方向に接離自在な左右一対の金具ピースよりなり、この金具ピースは、前記ブスバーの幅方向端縁に対する嵌合部と、この嵌合部から上方に延びる対向板部とを有し、
前記押圧部材は、前記対向板部同士が互いに近づく方向に締め付ける締め付けねじよりなる請求項１に記載のコンデンサ接続具。
【請求項４】
分電盤を構成するブレーカの端子ねじにコンデンサ素子を接続するためのコンデンサユニットであって、
前記ブレーカの端子間寸法よりも大きい長さを有する取付フレームと、
この取付フレームに間隔をおいて取り付けられた複数の接触端子と、
この各接触端子にリード線が導通可能に接続されたコンデンサ素子と、
前記各接触端子をそれぞれ前記ブレーカの端子ねじに接触させた状態で、前記取付フレームを前記ブレーカに取り付けるための取付部材とを備えていることを特徴とするコンデンサユニット。
【請求項５】
前記取付部材は、前記接触端子を前記端子ねじに磁力で吸着させるべく当該接触端子に設けられたマグネット部材よりなる請求項４に記載のコンデンサユニット。
【請求項６】
前記取付部材は、前記ブレーカに当接させた前記取付フレームをその外周側から巻き付けて固定するための締結バンドよりなる請求項４に記載のコンデンサユニット。
【請求項７】
前記取付部材は、前記ブレーカに当接させた前記取付フレームを当該ブレーカにねじ止めするための取付ねじよりなる請求項４に記載のコンデンサユニット。
【請求項８】
前記コンデンサ素子と並列接続となるように発光素子が前記各接触端子に接続されている請求項４〜７のいずれか１項に記載のコンデンサユニット。  
【発明の詳細な説明】
【技術分野】
【０００１】
本発明は、電力線通信の信号通過を抑制する機能を分電盤に付加する際に使用する、コンデンサ接続具及びコンデンサユニットに関する。
【背景技術】
【０００２】
電力線通信（ＰＬＣ：Power Line Communication）は、電力線に高周波信号を重畳して高速通信を行う通信方式であり、新たに通信用ケーブルを設ける必要が無いという利点を有する（非特許文献１参照）。また、近年、ＬＡＮ（ローカルエリアネットワーク）を構成する手段としての電力線通信が注目されている。
例えば、新規に通信線を敷設することが困難なホテルでは、既存の屋内配電線を信号伝送路とするＰＬＣが至便である。このようなホテルのＰＬＣ−ＬＡＮでは、各部屋にＰＬＣモデムの子機が設置され、一定の子機数ごとに親機が一台設置され、各フロアごとに親機と複数の子機との間でＬＡＮのグループが構成される。
【０００３】
しかし、屋内配電線は１つの変圧器の下で共通の電路であるため、信号伝送路が複数のグループに共有されている。信号伝送路の距離が長くなるとＰＬＣの通信はつながり難くなるが、近接しているとつながりやすい。そのため、例えば、ある階の子機からその階の親機と通信を行いたいのに、他の階の親機とつながってしまい、通信の混乱が生じる場合があり得る。
また、一方の信号が他方から見てノイズとなり、正常な通信がし難くなり、信号の伝送速度が低下するという問題が生じ得る。その結果として、例えばＶＯＤ (ビデオオンデマンド) サービスの様な高速な情報提供に支障が出る恐れがある。
【０００４】
そこで、配電の起点となる分電盤の主幹ブレーカと分岐ブレーカとの間にブロッキングフィルタを設け、分岐ブレーカに繋がっているＰＬＣ−ＬＡＮの電力線通信の伝送信号（ＰＬＣ信号）がネットワーク外に漏洩するのを防止することが提案されている（特許文献１参照）。
【０００５】
【特許文献１】特開２００６−１１５４８１号公報（図６）
【非特許文献１】Interface、第７０〜８１頁、「電力線搬送（ＰＬＣ: Power Line Communication）の現状」、江藤潔著、ＣＱ出版社、２０００年９月
【発明の開示】
【発明が解決しようとする課題】
【０００６】
上記ＰＬＣ用のブロッキングフィルタは例えばＬＣフィルタで構成できるが、電力線には配電のための大電流が流れるため、ＰＬＣ用のブロッキングフィルタの場合は電子機器に使用されるＬＣフィルタよりも格段に大型となる。
一方、分電盤の内部では、通常、主幹ブレーカと分岐ブレーカが銅製の複数本のブスバーで接続されているが、分電盤をコンパクトに構成するために、複数本のブスバーが密に配列されていることが多い。
【０００７】
このため、通常のＰＬＣ用のブロッキングフィルタを主幹ブレーカと分岐ブレーカの間に接続しようとしても、上記ブスバーと干渉するために当該ブロッキングフィルタを設置するスペースが取れないことが多い。このため、ブレーカやブスバーの配置を大幅に変更しないと分電盤の内部にブロッキングフィルタを設置できないことが多く、ブロッキングフィルタの取り付け作業が非常に困難であるという問題があった。
【０００８】
本発明は、かかる従来の問題点に鑑み、ブレーカやブスバーの配置を変更せずにコンデンサ素子を分電盤の内部に設置できるようにして、電力線通信の信号漏れ対策や、分電盤を挟んだグループ間の干渉対策を容易に行えるコンデンサ接続具及びコンデンサユニットを提供することを目的とする。
【課題を解決するための手段】
【０００９】
本発明のコンデンサ接続具（請求項１）は、分電盤を構成するブスバーにコンデンサ素子を接続するためのコンデンサ接続具であって、前記ブスバーの幅方向両側縁に係脱可能な金属製の取付金具と、この取付金具を前記ブスバーに押し付けて固定する押圧部材と、前記取付金具に導通可能に固定されており、前記コンデンサ素子のリード線を接続可能な接続部とを備えていることを特徴とする。
【００１０】
上記コンデンサ接続具を分電盤内の既設のブスバーに装着するには、取付金具の両掛止爪部をブスバーの左右両側縁に引っ掛け、押圧部材でブスバーを押圧するようにすればよく、このさい、コンデンサ接続具がブスバーに対して導通状態で固定される。
そして、このようにして複数本のブスバーにコンデンサ接続具を取り付けた後、各接続具の接続部にコンデンサ素子のリード線を接続することにより、分電盤の内部の電路であるブスバー間にコンデンサ素子を挿入することができる。
【００１１】
このように、本発明のコンデンサ接続具によれば、分電盤内の既設のブスバーにコンデンサ素子を接続することができるので、主幹ブレーカやブスバーの配置を変更せずにコンデンサ素子を分電盤の内部に設置することができる。
【００１２】
本発明のコンデンサ接続具において、前記取付金具としては、天板部と、この天板部の幅方向両端部から下方に延びる左右一対の側板部と、この各側板部の下端部から幅方向内方に延びる掛止爪部と備えたものを採用することができる（請求項２）。
この場合、前記押圧部材は、先端を下方に向けて前記天板部を貫通する締め付けねじより構成することができる。従って、押圧部材を汎用品（ねじ部材）で構成でき、コンデンサ接続具の材料コストを低減できる。
【００１３】
また、本発明のコンデンサ接続具において、前記取付金具を、前記ブスバーの幅方向に接離自在な左右一対の金具ピースより構成し、この金具ピースを、前記ブスバーの幅方向端縁に対する嵌合部と、この嵌合部から上方に延びる対向板部とを有するものを採用することもできる（請求項３）。
この場合、前記押圧部材は、前記対向板部同士が互いに近づく方向に締め付ける締め付けねじより構成することができる。従って、この場合も、押圧部材を汎用品（ねじ部材）で構成でき、コンデンサ接続具の材料コストを低減できる。
【００１４】
本発明のコンデンサユニット（請求項４）は、分電盤を構成するブレーカの端子ねじにコンデンサ素子を接続するためのコンデンサユニットであって、前記ブレーカの端子間寸法よりも大きい長さを有する取付フレームと、この取付フレームに間隔をおいて取り付けられた複数の接触端子と、この各接触端子にリード線が導通可能に接続されたコンデンサ素子と、前記各接触端子をそれぞれ前記ブレーカの端子ねじに接触させた状態で、前記取付フレームを前記ブレーカに取り付けるための取付部材とを備えていることを特徴とする。
【００１５】
本発明のコンデンサユニットによれば、取付フレームに設けられた複数の接触端子にコンデンサ素子のリード線が導通可能に接続されており、その各接触端子をそれぞれブレーカの端子ねじに接触させた状態で、取付フレームをブレーカに取り付けられるようになっているので、ブレーカやブスバーの配置を変更せずにコンデンサ素子を分電盤の内部に設置することができる。
【００１６】
本発明のコンデンサユニットにおいて、前記取付部材は、前記接触端子を前記端子ねじに磁力で吸着させるべく当該接触端子に設けられたマグネット部材により構成することができる（請求項５）。
この場合、マグネット部材の磁力によって接触端子が端子ねじに吸着されるので、両者の導通を確実に行うことができる。
【００１７】
また、本発明のコンデンサユニットにおいて、前記取付部材は、前記ブレーカに当接させた前記取付フレームをその外周側から巻き付けて固定するための締結バンドにより構成することもできる（請求項６）。
この場合、締結バンドを巻き付けるだけで取付フレームをブレーカに確実に固定できるので、コンデンサユニットの装着作業を簡単に行うことができる。
【００１８】
更に、本発明のコンデンサユニットにおいて、前記取付部材は、前記ブレーカに当接させた前記取付フレームを当該ブレーカにねじ止めするための取付ねじにより構成することもできる（請求項７）。
この場合、取付フレームを取付ねじでねじ止めするだけで取付フレームをブレーカに確実に固定できるので、コンデンサユニットの装着作業を簡単に行うことができる。
また、本発明のコンデンサユニットにおいて、前記コンデンサ素子と並列接続となるように発光素子を前記各接触端子に接続してもよい（請求項８）。
この場合、発光素子の点灯如何によってコンデンサ素子が電路に対して正常に接触しているか否かを簡単に確認することができる。
【発明の効果】
【００１９】
以上の通り、本発明によれば、ブレーカやブスバーの配置を変更せずにコンデンサ素子を分電盤の内部に設置できるので、電力線通信の信号漏れ対策や、分電盤を挟んだグループ間の干渉対策を容易に行うことができる。
【発明を実施するための最良の形態】
【００２０】
以下、図面を参照しつつ、本発明の実施形態を説明する。
〔分電盤〕
図１は、電力線通信の信号漏れの改修工事が行われる分電盤の内部構造を示す正面図である。
図１に示すように、この分電盤１は、開閉自在な蓋部材（図示せず）を有する前方開口状の中空箱体よりなる筐体２と、この筐体２の内部の上部よりに配置された主幹ブレーカ３と、筐体２の内部の下部よりに配置された複数（図例では８つ）の分岐ブレーカ４とを備えている。
【００２１】
筐体２の内部の背面板には、図示しない取付フレームが設けられており、この取付フレームに、上記主幹ブレーカ３や分岐ブレーカ４がねじ止めによって取り付けられている。本実施形態の分電盤１は単相三線方式であり、主幹ブレーカ３は一次側と二次側にそれぞれ三つの接点５，６を有している。
一次側の各接点５は、一方の活線Ｒ（以下、赤相Ｒ）に繋がる第一接点５Ｒと、他方の活線Ｂ（以下、黒相Ｂ）に繋がる第二接点５Ｂと、中性線Ｗ（以下、白相Ｗ）に繋がる第三接点５Ｗとからなる。
【００２２】
二次側の各接点６には、それぞれ、導電性を有する銅製のブスバー７がねじ止めによって接続され、これらのブスバー７は、赤相Ｒ用の第一ブスバー７Ｒと、黒相Ｂ用の第二ブスバー７Ｂと、白相Ｗ用の第三ブスバー７Ｗとからなる。
これら第一〜第三ブスバー７Ｒ，７Ｂ，７Ｗは、同じ横断面形状の真っ直ぐな銅製の板材よりなり、二列配置の分岐ブレーカ４の間、すなわち、左列の四つの分岐ブレーカ４と右列の四つの分岐ブレーカ４の間を通って下方に延設されている。
【００２３】
また、第一〜第三ブスバー７Ｒ，７Ｂ，７Ｗは、その上端部において主幹ブレーカ３の二次側の各接点６Ｒ，６Ｂ，６Ｗにねじ止めされ、互いに平行でかつほぼ等間隔で並ぶ三列の状態で配列されている。そして、第一ブスバー７Ｒと第三ブスバー７Ｗは、左列の分岐ブレーカ４の二つの接点にそれぞれ接続され、第二ブスバー７Ｂと第三ブスバー７Ｗは、右列の分岐ブレーカ４の二つの接点にそれぞれ接続されている。
このため、各分岐ブレーカ４の接点には、赤相Ｒ又は黒相Ｂによる単相１００Ｖの交流電圧が印加されるようになっている。なお、分岐ブレーカ４の各接点に第一ブスバー７Ｒと第二ブスバー７Ｂを接続して、単相２００Ｖの交流電圧が印加される場合もある。
【００２４】
〔第一実施形態〕
図２（ａ）は、本発明の第一実施形態に係るコンデンサ接続具１６の斜視図であり、図２（ｂ）は、その装着状態を示す断面図である。
図２（ａ）に示すように、このコンデンサ接続具１６は、分電盤１の内部にある前記ブスバー７にコンデンサ素子９を接続するためのものであり、ブスバー７の幅方向両側縁に係脱可能な金属製の取付金具１７と、この取付金具１７をブスバー７に押し付けて固定する押圧部材１８と、取付金具１７に導通可能に固定された接続部１９とを備えている。
【００２５】
上記取付金具１７は、導電性を有する金属板を断面ほぼ台形状に屈曲形成することによって構成されており、天板部２０と、この天板部２０の幅方向両端部から下方に延びる左右一対の側板部２１とを備えている。また、この各側板部２１の下端部からは、幅方向内方に延びる掛止爪部２２が一体に突設されている。
押圧部材１８は、先端を下方に向けて天板部２０を貫通する締め付けねじよりなる。天板部２０の下面側にはほぼ正方形状のナット部材２３が収納され、締め付けねじ１８の軸部はそのナット部材２３を螺合状態で貫通している。
【００２６】
上記接続部１９は、コンデンサ素子９のリード線１０の先端導通部を着脱自在に接続可能であり、本実施形態では、下端部が取付金具１７の側板部２１に半田付けされたピンソケットを採用している。
本実施形態のコンデンサ接続具１６をブスバー７に装着するには、取付金具１７の両掛止爪部２２をブスバー７の左右両側縁に引っ掛け、この状態でドライバー等の回動工具で締め付けねじ１８を回動させて締め付け、その締め付けねじ１８の先端でブスバー７を押圧するようにすればよい。
【００２７】
すると、図２（ｂ）に示すように、コンデンサ接続具１６がブスバー７に対して導通状態で固定されることになる。
そして、上記のようにして複数本のブスバー７（図例では第一ブスバー７Ｒと第二ブスバー７Ｂ）にコンデンサ接続具１６を取り付けた後、各接続具１６の接続部１９にコンデンサ素子９のリード線１０を接続することにより、分電盤１の内部の電路であるブスバー７間にコンデンサ素子９を挿入することができる。
【００２８】
なお、図３に示すように、３本のブスバー７のうちの１００Ｖ電路間にコンデンサ素子９を挿入する場合には、すべてのブスバー７Ｒ，７Ｂ，７Ｗにそれぞれ上記コンデンサ接続具１６を装着し、その各コンデンサ接続具１６の接続部１９にコンデンサ素子９のリード線１０を接続すればよい。
このように、本実施形態のコンデンサ接続具１６を用いることにより、主幹ブレーカ３の二次側については、当該主幹ブレーカ３の接点６ではなく、ブスバー７に対してコンデンサ素子９を挿入することもできる。
【００２９】
本実施形態のコンデンサ接続具１６によれば、分電盤１内の既設のブスバー７にコンデンサ素子９を接続することができるので、主幹ブレーカ３やブスバー７の配置を変更せずにコンデンサ素子９を分電盤１の内部に設置することができる。
このため、分電盤１に対する電力線通信の信号漏れ対策のための改修工事や、分電盤１を挟んだグループ間の干渉対策のための改修工事を容易に行うことができる。
なお、図２に一点鎖線で示すように、取付金具１７の外表面については、ブスバー７との電気接触部となる箇所以外の部分を樹脂モールド等よりなる被覆層１７Ａで被覆することにしてもよい。この場合、隣接ブスバー７との離隔が小さくなる欠点を解消することができる。また、同様の理由で、締め付けねじ１８は、樹脂ねじ或いは樹脂被覆ねじであってもよい。
【００３０】
図４（ａ）は、コンデンサ接続具１６の変形例を示す斜視図であり、図４（ｂ）は、その装着状態を示す断面図である。
この変形例のコンデンサ接続具１６では、取付金具１７が、ブスバーの幅方向に接離自在な左右一対の金具ピース２４により構成されている。この左右一対の金具ピース２４は、ブスバー７の幅方向端縁に対して嵌合可能となるように断面ほぼコの字状に屈曲形成された嵌合部２５と、この嵌合部２５から上方に延びる対向板部２６とを有している。
【００３１】
また、この変形例のコンデンサ接続具１６では、押圧部材１８は、上記対向板部２６同士が互いに近づく方向に締め付ける締め付けねじより構成され、ピンソケット等よりなる接続部１９は上記嵌合部２５に固定されている。
この変形例のコンデンサ接続具１６をブスバー７に装着するには、両金具ピース２４の嵌合部２５をブスバー７の左右両側縁に嵌合させ、この状態でドライバー等の回動工具で締め付けねじ１８を回動させて締め付け、両金具ピース２４でブスバー７を幅方向両側から挟圧するようにすればよい。
【００３２】
すると、図４（ｂ）に示すように、両金具ピース２４よりなる取付金具１７がブスバー７に対して導通状態で固定されることになる。
そして、上記のようにして複数本のブスバー７（図例では第一ブスバー７Ｒと第二ブスバー７Ｂ）にコンデンサ接続具１６を取り付けた後、各接続具１６の接続部１９にコンデンサ素子９のリード線１０を接続することにより、分電盤１の内部の電路であるブスバー７間にコンデンサ素子９を挿入することができる。
なお、図４に一点鎖線で示すように、この場合の取付金具１７の外表面についても、ブスバー７との電気接触部となる箇所以外の部分を樹脂モールド等よりなる被覆層１７Ａで被覆することにしてもよい。また、この場合も締め付けねじ１８も、樹脂ねじ或いは樹脂被覆ねじであってもよい。
【００３３】
〔第二実施形態〕
図５は、本発明の第二実施形態に係るコンデンサユニット２８を示し、図６は、そのコンデンサユニット２８の主幹ブレーカ３への装着状態を示している。
図５に示すように、本実施形態のコンデンサユニット２８は、主幹ブレーカ３の端子間寸法よりも大きい長さを有するほぼ長方形板状の取付フレーム２９と、この取付フレーム２９に予め取り付けられたコンデンサ素子９及びヒューズ１３とからなる。
【００３４】
このコンデンサユニット２８は、分電盤１の内部にある主幹ブレーカ３の端子ねじ１１に単数又は複数のコンデンサ素子９を接続するためのものであり、上記取付フレーム２９に間隔をおいて取り付けられた金属製の複数の接触端子３０と、この各接触端子３０に導通可能に固定された接続部３１とを備えている。
なお、図５に示すコンデンサユニット２８は、主幹ブレーカ３の１００Ｖ端子間にコンデンサ素子９を挿入するタイプのものであり、このため、３つの接触端子３０を備えている。
【００３５】
この３つの接触端子３０は、良好な導電性を有する銅合金製の金属片よりなり、側面視においてほぼＬ字形に屈曲形成されている。取付フレーム２９は２枚のプレートを積層してなり、このプレート間に接触端子３０の縦向き片を挟み込むことにより、当該接触端子３０の横向き片が取付フレーム２９の下端縁から片持ち状に突出している。
また、３つの接触端子３０は、主幹ブレーカ３の一次側又は二次側にある３つの接点５，６に対応する位置に来るように、取付フレーム２９の下端縁に等間隔おきに配置されている。
【００３６】
上記接続部３１は、コンデンサ素子９及びヒューズ１３のリード線１０の先端導通部を着脱自在に接続可能であり、本実施形態においても、導通端部が接触端子３０に半田付けされたピンソケットを採用している。もっとも、リード線１０の先端部を接触端子３０に直接半田付けすることにしてもよい。
また、各接触端子３０の横向き片の上面には、永久磁石等よりなるマグネット部材３２が固着されており、このマグネット部材３２の磁力で主幹ブレーカ３の端子ねじ１１の頭部を吸着することにより、各接触端子３０をそれぞれ端子ねじ１１に接触させた状態でコンデンサユニット２８を主幹ブレーカ３に取り付けられるようになっている。
【００３７】
また、隣接する接触端子３０同士の間のスペースには、コンデンサ素子９とこれに直列接続されたヒューズ１３が架設されている。このコンデンサ素子９とヒューズ１３は、リード線１０の先端導通部を前記接続部３１に挿入して接続することにより、各接触端子３０と導通している。
本実施形態のコンデンサユニット２８を用いて、電力線通信の信号通過を抑制する機能を分電盤１に付加する改修工事を行うには、各接触端子３０の横向き片を主幹ブレーカ３の端子ねじ１１の頭部にそれぞれ当接させ、当該ユニット２８を主幹ブレーカ３に装着するだけでよい。
【００３８】
すると、図６に示すように、マグネット部材３２の磁力で各接触端子３０の横向き片が端子ねじ１１の頭部と導通状態で接触し、コンデンサ素子９がＰＬＣ信号の通過を抑制するフィルタ用として機能することになる。
なお、マグネット部材３２の磁力で所望の固定力が発揮できない場合には、図６（ｂ）に一点鎖線で示すように、主幹ブレーカ３の端面に当接した取付フレーム２９に対してマジックテープ等よりなる締結バンド３３をその外周側から巻き付け、これによってコンデンサユニット２８を主幹ブレーカ３により確実に装着することにしてもよい。
【００３９】
また、マグネット部材３２を設けずに、締結バンド３３だけを用いてコンデンサユニット２８を主幹ブレーカ３に装着することにしてもよい。
この場合、接触端子３０の構成材料として板ばね等の弾性を有するばね材料を使用すれば、弾性変形によって端子ねじ１１の頭部に対する接触圧が高まり、電路に対する導通をより確実にすることができる。
【００４０】
上記の通り、本実施形態のコンデンサユニット２８によれば、これを主幹ブレーカ３に装着するだけで、既設の主幹ブレーカ３の端子ねじ１１にコンデンサ素子９を接続することができ、主幹ブレーカ３やブスバー７の配置を変更せずにコンデンサ素子９を分電盤１の内部に設置することができる。
このため、分電盤１に対する電力線通信の信号漏れ対策のための改修工事や、分電盤１を挟んだグループ間の干渉対策のための改修工事を容易に行うことができる。
【００４１】
図７は、主幹ブレーカ３に装着可能なコンデンサユニット２８の変形例を示し、図８は、その装着状態を示している。
この変形例に使用されるコンデンサユニット２８も、分電盤１の内部にある主幹ブレーカ３の端子ねじ１１にコンデンサ素子９を接続するためのものであるが、主幹ブレーカ３の２００Ｖ端子間にコンデンサ素子９を挿入するタイプのものである点で、図５及び図６のコンデンサユニット２８と異なる。このため、当該変形例の場合には、２つの接触端子３０のみが設けられている。
【００４２】
また、この変形例に係るコンデンサユニット２８では、ヒューズ１３と直列接続されたネオン管等よりなる発光素子１４を備えており、この発光素子１４のリード線１０は、コンデンサ素子９のリード線１０とともに、接触端子３０の接続部３１に挿通されている。
すなわち、発光素子１４は、コンデンサ素子９と並列接続となりかつヒューズ１３と直列接続となるように各接触端子に３０に接続されている。
このため、発光素子１４の点灯如何によってコンデンサ素子９が電路に対して正常に接触しているか否かを確認できるとともに、発光素子１４が雷サージや過電圧等で故障しても、その故障に伴う電源断の危険性を減少させることができる。
【００４３】
図９は、主幹ブレーカ３に装着可能なコンデンサユニット２８の別の変形例を示し、図１０は、その装着状態を示している。
図９に示すように、この変形例に使用されるコンデンサユニット２８は、取付フレーム２９が断面Ｌ字型である。すなわち、この場合の取付フレーム２９は、主幹ブレーカ３の正面に当接する取付板部３４と、この取付板部３４の幅方向一端から直交状に延設されたカバー板部３５とから構成されている。
【００４４】
上記取付板部３５には、主幹ブレーカ３に螺合する取付ねじ３６の挿通孔３７が形成されている。また、取付板部３４の内面には、コイルばねよりなる付勢部材３８が取り付けられ、この付勢部材３８の下端部に接触端子３０が固定されている。
この変形例に係るコンデンサユニット２８を主幹ブレーカ３に装着するには、各接触端子３０を主幹ブレーカ３の端子ねじ１１の頭部にそれぞれ当接させた状態で、付勢部材３８のばね力に抗して取付フレーム２９の取付板部３４を主幹ブレーカ３４の正面部に沿わせ、その後、挿通孔３７に取付ねじ３６を挿通してねじ止めすればよい。
【００４５】
図１１は、主幹ブレーカ３に装着可能なコンデンサユニット２８の別の変形例を示し、図１２は、その装着状態を示している。
図１１に示すように、この変形例に使用されるコンデンサユニット２８では、先端側に開口する切り欠き凹部３０Ａが接触端子３０に形成されており、これによって接触端子３０が平面視において二股状に形成されている。この切り欠き凹部３０Ａは、主幹ブレーカ３の端子ねじ１１の軸部よりも広い幅寸法で、かつ、同端子ねじ１１の頭部よりも狭い幅寸法を有する。
【００４６】
従って、図１１に示すコンデンサユニット２８を主幹ブレーカ３に装着するには、まず、主幹ブレーカ３の端子ねじ１１をいったん緩め、その端子ねじ１１の軸部に接触端子３０を差し込んだ状態で当該端子ねじ１１を再度締め付けるようにすればよい。
なお、図１１に示すコンデンサユニット２８では、主幹ブレーカ３の１００Ｖ端子間にコンデンサ素子９を挿入するタイプのものであり、このため、３つの接触端子３０を備えている。
【００４７】
図１３は、主幹ブレーカ３に装着可能なコンデンサユニット２８の別の変形例を示し、図１４は、その装着状態を示している。
この変形例に使用されるコンデンサユニット２８においても、先端側に開口する切り欠き凹部３０Ａが形成された二股状の接触端子３０を採用しており、この点で、図１１及び図１２の場合と共通する。
もっとも、図１３に示すコンデンサユニット２８では、主幹ブレーカ３の２００Ｖ端子間にコンデンサ素子９を挿入するタイプのものであり、このため、２つの接触端子３０を備えている。
【００４８】
図１５は、コンデンサユニット２８の別の取り付け方を示す側面図である。
図１５において、主幹ブレーカ３と分電盤１の内部フレーム４７との間には、取付台座４８が介在されており、これにより、コンデンサユニット２８の設置スペース４９を確保している。
そして、コンデンサユニット２８は、図１４の場合とは逆向きの状態、すなわち、取付フレーム２９の幅方向自由端側が分電盤１の内部側（図１５の右側）に向く状態で、接触端子３０を端子ねじ１１に差し込んである。
【００４９】
この図１５に示す取付構造によれば、コンデンサユニット２８の取付フレーム２９を分電盤１の内部側に向けて取り付けるようになっているので、例えば、ブスバー７が特殊な形状であるために、ブスバー７の外面側（図１５の左側）にコンデンサユニット２８を装着するのが困難である場合に、特に有効な取付構造である。
【００５０】
〔電力線通信システム〕
図１６は、電力線通信（ＰＬＣ）システムを適用したホテルの配線系統図である。
図１６に示すＰＬＣシステム４０は、６階建てのホテル４１に適用したものであり、２〜６階が客室となっている。ホテル４１の屋上には受電用のキュービクル４２が設置され、このキュービクル４２から延びる配電用の幹線４３が、各階のダクトスペース４４内に設置された前記分電盤１に引き込まれている。このため、各階での各部屋へのコンセントや照明等の給電は、同一階の分電盤１から延びる枝線４５から行われる。
【００５１】
各部屋への配電のための幹線４３と枝線４５が敷設された上記ホテル４１にＰＬＣシステム４０を構築するには、分電盤１から分岐する枝線４５に対して、電力線通信を行う各モデムＭＳ，ＬＳをそれぞれ接続する工程と、ＰＬＣ信号の通過を抑制する機能を分電盤１に付加する改修工事を行う工程とを、各階で順次行うようにすればよい。
【００５２】
そこで、図１６に示すホテル４１では、ＰＬＣモデムの親機ＭＳが、各階の分電盤１から延びる枝線４５に接続され、ダクトスペース４４内に収納されている。
この親機ＭＳは、光通信で外部ネットワークと繋がるメディアコンバータ（図示せず）と接続されており、そのコンバータとの間でイーサネット（登録商標）での信号の送受信を行い、子機ＬＳとの間では、電力線（枝線３５）を通信媒体としてＰＬＣ信号の送受信を行う。
【００５３】
一方、ＰＬＣモデムの子機ＬＳは、各階の各部屋（一部でも全部でもよい。）に設置され、その各部屋のコンセントを通じて、分電盤１から延びる枝線４５に接続されている。従って、各階に一つずつ設置された親機ＭＳとその配下の複数の子機ＬＳにより、一つのＬＡＮ（ローカルエリアネットワーク）が構成される。
上記ＰＬＣシステム４０において、各階の分電盤１（その筐体２の近傍の被覆電線１２を含む。）には、これまで説明したフィルタ用コンデンサ８を設ける改修工事が施され、これにより、ＰＬＣ信号の通過を抑制する機能が当該分電盤１に付加されている。
【００５４】
すなわち、主幹ブレーカ３の一次側及び二次側に位置する各接点５，６に、フィルタ用コンデンサ８を挿入したり、或いは、二次側のブスバー７にフィルタ用コンデンサ８を挿入したりすることにより、ＰＬＣ信号の通過を抑制する機能を付加する改修工事が、各階の分電盤１に施される。
従って、このようなＰＬＣ信号の通過抑制機能が付加された分電盤１により、ＰＬＣ信号が異なる階に跨って送受信されることが防止され、ネットワーク外へのＰＬＣ信号の漏洩が防止される。換言すると、ＰＬＣ信号による通信範囲が、各階のＬＡＮ内での通信に制限される。
【００５５】
なお、図１６では、ホテル４１の配線系統図を例示しているが、集合住宅や戸建て住宅の場合にも、本発明の分電盤１に対する改修工法を適用することができ、この場合、ＰＬＣ信号の通過抑制機能が分電盤１に付加されることにより、他の住宅への信号の漏洩を防止することができる。
【００５６】
上記実施形態はすべて例示であり本発明の範囲を制限するものではない。本発明の範囲は、上記実施形態ではなく特許請求の範囲によって示され、特許請求の範囲の構成と均等の範囲内での変更が含まれる。
例えば、前記コンデンサ接続具１６は、主幹ブレーカ３に繋がるブスバー７だけでなく、分岐ブレーカ４に繋がるブスバーに対する接続具として構成することにしてもよい。
【００５７】
また、前記コンデンサユニット２８は、主幹ブレーカ３の端子ではなく、分岐ブレーカ４の端子にコンデンサ素子９を接続するための構造にすることもできる。
【図面の簡単な説明】
【００５８】
【図１】本発明の改修工法に適した分電盤の内部構造を示す正面図である。
【図２】第一実施形態に係る改修工法に使用するコンデンサ接続具を示し、（ａ）はその斜視図、（ｂ）はその装着状態を示す断面図である。
【図３】コンデンサ接続具の別の装着状態を示す正面図である。
【図４】コンデンサ接続具の変形例を示し、（ａ）はその斜視図、（ｂ）はその装着状態を示す断面図である。
【図５】第二実施形態に係る改修工法に使用するコンデンサユニットを示し、（ａ）はその平面図、（ｂ）はその正面図、（ｃ）はその側面図である。
【図６】上記コンデンサユニットの主幹ブレーカへの装着状態を示し、（ａ）はその主幹ブレーカの正面図、（ｂ）はその主幹ブレーカの側面図である。
【図７】コンデンサユニットの変形例を示し、（ａ）はその平面図、（ｂ）はその正面図、（ｃ）はその側面図である。
【図８】上記コンデンサユニットの主幹ブレーカへの装着状態を示し、（ａ）はその主幹ブレーカの正面図、（ｂ）はその主幹ブレーカの側面図である。
【図９】コンデンサユニットの別の変形例を示し、（ａ）はその平面図、（ｂ）はその正面図である。
【図１０】上記コンデンサユニットの主幹ブレーカへの装着状態を示し、（ａ）はその主幹ブレーカの正面図、（ｂ）はその主幹ブレーカの側面図である。
【図１１】コンデンサユニットの変形例を示し、（ａ）はその平面図、（ｂ）はその正面図、（ｃ）はその側面図である。
【図１２】上記コンデンサユニットの主幹ブレーカへの装着状態を示し、（ａ）はその主幹ブレーカの正面図、（ｂ）はその主幹ブレーカの側面図である。
【図１３】コンデンサユニットの変形例を示し、（ａ）はその平面図、（ｂ）はその正面図、（ｃ）はその側面図である。
【図１４】上記コンデンサユニットの主幹ブレーカへの装着状態を示し、（ａ）はその主幹ブレーカの正面図、（ｂ）はその主幹ブレーカの側面図である。
【図１５】コンデンサユニットの別の取り付け方を示す側面図である。
【図１６】電力線通信システムを適用したホテルの配線系統図である。
【符号の説明】
【００５９】
１：分電盤  ２：筐体  ３：主幹ブレーカ  ４：分岐ブレーカ
５：一次側の接点  ５Ｒ：第一接点  ５Ｂ：第二接点  ５Ｗ：第三接点
６：二次側の接点  ６Ｒ：第一接点  ６Ｂ：第二接点  ６Ｗ：第三接点
７：ブスバー  ７Ｒ：第一ブスバー  ７Ｂ：第二ブスバー  ７Ｗ：第三ブスバー
８：フィルタ用コンデンサ  ９：コンデンサ素子  ９Ａ：本体部
１０：リード線  １１：端子ねじ  １３：ヒューズ  １４：発光素子
１６：コンデンサ接続具  １７：取付金具  １８：押圧部材（締め付けねじ）
１９：接続部  ２０：天板部  ２１：側板部  ２２：掛止爪部  ２３：ナット部材
２４：金具ピース  ２５：嵌合部  ２６：対向板部
２８：コンデンサユニット  ２９：取付フレーム  ３０：接触端子  ３１：接続部
３２：マグネット部材  ３３：締結バンド  ３４：取付板部  ３５：カバー板部
３６：取付ねじ  ３７：挿通孔  ３８：付勢部材
４０：ＰＬＣシステム  ４１：ホテル  ４２：キュービクル  ４３：幹線
４４：ダクトスペース  ４５：枝線  ４７：内部フレーム  ４８：取付台座
４９：設置スペース  
【図１】
2009087975.tif 000003
【図２】
2009087975.tif 000004
【図３】
2009087975.tif 000005
【図４】
2009087975.tif 000006
【図５】
2009087975.tif 000007
【図６】
2009087975.tif 000008
【図７】
2009087975.tif 000009
【図８】
2009087975.tif 000010
【図９】
2009087975.tif 000011
【図１０】
2009087975.tif 000012
【図１１】
2009087975.tif 000013
【図１２】
2009087975.tif 000014
【図１３】
2009087975.tif 000015
【図１４】
2009087975.tif 000016
【図１５】
2009087975.tif 000017
【図１６】
2009087975.tif 000018